(57)【要約】  基地局間キャリアアグリゲーションによりユーザ装置と通信を行う第１の基地局及び第２の基地局を含む移動通信システムにおいて使用される前記ユーザ装置において、前記第１の基地局におけるサブフレームと前記第２の基地局におけるサブフレームとの間の時間差を測定する測定手段と、所定の通知トリガを検出した場合に、前記測定手段により測定された前記時間差に関する時間差情報を前記第１の基地局又は前記第２の基地局に通知する通知手段とを備える。
2015194570.tif 000002
【特許請求の範囲】
【請求項１】
基地局間キャリアアグリゲーションによりユーザ装置と通信を行う第１の基地局及び第２の基地局を含む移動通信システムにおいて使用される前記ユーザ装置であって、
前記第１の基地局におけるサブフレームと前記第２の基地局におけるサブフレームとの間の時間差を測定する測定手段と、
所定の通知トリガを検出した場合に、前記測定手段により測定された前記時間差に関する時間差情報を前記第１の基地局又は前記第２の基地局に通知する通知手段と
を備えることを特徴とするユーザ装置。
【請求項２】
前記所定の通知トリガは、前記ユーザ装置が、前記基地局間キャリアアグリゲーションを行うための設定信号を前記第１の基地局又は前記第２の基地局から受信したことである
ことを特徴とする請求項１に記載のユーザ装置。
【請求項３】
前記所定の通知トリガは、前記ユーザ装置において、在圏セルの受信品質が所定閾値よりも劣化した場合に測定報告を送信するイベントがトリガされたことである
ことを特徴とする請求項１に記載のユーザ装置。
【請求項４】
前記所定の通知トリガは、前記第１の基地局又は前記第２の基地局から、測定ギャップの設定情報を受信したことである
ことを特徴とする請求項１に記載のユーザ装置。
【請求項５】
基地局間キャリアアグリゲーションによりユーザ装置と通信を行う第１の基地局及び第２の基地局を含む移動通信システムにおいて使用される前記ユーザ装置であって、
前記第１の基地局又は前記第２の基地局から測定ギャップの設定情報を受信する受信手段と、
前記設定情報に基づいて前記第１の基地局に対する測定ギャップを設定するとともに、前記第１の基地局に対する測定ギャップとなるサブフレームと重なるサブフレームを前記第２の基地局に対する測定ギャップとして設定する測定制御手段と
を備えることを特徴とするユーザ装置。
【請求項６】
前記測定制御手段は、前記設定情報に基づいて前記第１の基地局に対する測定ギャップを算出し、当該測定ギャップの絶対時間を取得し、当該絶対時間に基づいて、前記第２の基地局に対する測定ギャップを算出する
ことを特徴とする請求項５に記載のユーザ装置。
【請求項７】
基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置、又は、前記第１の基地局から、測定ギャップの設定情報を受信し、当該設定情報と前記時間差情報に基づいて、前記ユーザ装置における前記基地局に対する測定ギャップを算出し、当該測定ギャップの前後所定期間も測定ギャップと見なす測定制御手段と
を備えることを特徴とする基地局。
【請求項８】
基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置における前記第１の基地局に対する測定ギャップの絶対時間を、当該測定ギャップの設定情報と前記受信手段により受信した前記時間差情報とに基づき算出し、当該絶対時間に基づいて、前記ユーザ装置における前記基地局に対する測定ギャップを算出する測定制御手段と
を備えることを特徴とする基地局。
【請求項９】
基地局間キャリアアグリゲーションによりユーザ装置と通信を行う第１の基地局及び第２の基地局を含む移動通信システムにおいて使用される前記ユーザ装置が実行する時間差情報通知方法であって、
前記第１の基地局におけるサブフレームと前記第２の基地局におけるサブフレームとの間の時間差を測定する測定ステップと、
所定の通知トリガを検出した場合に、前記測定ステップにより測定された前記時間差に関する時間差情報を前記第１の基地局又は前記第２の基地局に通知する通知ステップと
を備えることを特徴とする時間差情報通知方法。
【発明の詳細な説明】
【技術分野】
【０００１】
本発明は、ＬＴＥ等の移動通信システムにおいて使用されるＭｅａｓｕｒｅｍｅｎｔ  ｇａｐ（測定ギャップ）に関連するものである。
【背景技術】
【０００２】
ＬＴＥ等の移動通信システムにおいては、ユーザ装置ＵＥをより品質の良いセルへ接続させるために、或いはロードバランシング等の目的のために、ユーザ装置ＵＥに対してＲＲＣ信号による測定指示を行うことで無線品質の測定をさせている（非特許文献１）。【０００３】
ユーザ装置ＵＥは、通信している周波数とは異なる周波数の無線品質を測定する際に、受信周波数を該当周波数に合わせるためにＲＦ  ｔｕｎｉｎｇ（無線チューニング）をする必要があり、その際に、現状の通信を一旦中断する必要がある。通信を中断する当該期間はＭｅａｓｕｒｅｍｅｎｔ  ｇａｐ（以下、測定ギャップ）と呼ばれる。図１に示すように、測定ギャップにおいてユーザ装置ＵＥはＤＬ信号の受信及びＵＬ信号の送信を行わない。測定ギャップは、基地局ｅＮＢから受信する測定設定情報（Ｍｅａｓｕｒｅｍｅｎｔ  ｃｏｎｆｉｇｕｒａｔｉｏｎ）により、周期的に訪れるように設定がなされる。【０００４】
また、基地局ｅＮＢにおいては、ユーザ装置ＵＥがどのタイミングでＭｅａｓｕｒｅｍｅｎｔを実施するかを把握しているため、該当する期間はＤＬ／ＵＬスケジューリングを停止することとしている。【０００５】
Ｒｅｌ−１０において、複数のＣＣ（コンポーネントキャリア）を束ねてスループットを向上させるＣＡ（Ｃａｒｒｉｅｒ  ａｇｇｒｅｇａｔｉｏｎ）が導入されたが、３ＧＰＰ上、ＣＡ時にもユーザ装置ＵＥは単一の測定ギャップ設定を全てのＣＣに適用することとされている。すなわち、測定ギャップ期間においてユーザ装置ＵＥは全てのＣＣでＤＬ受信／ＵＬ送信を中断する。これは、ＣＣ毎に測定ギャップを規定すると、ユーザ装置ＵＥの実装が複雑になるためである。【０００６】
ＣＡに関し、Ｒｅｌ−１１までは、図２に示すように同一基地局ｅＮＢ配下の複数のＣＣを用いているが、Ｒｅｌ−１２ではこれを拡張し、異なる基地局ｅＮＢ配下のＣＣを用いて同時通信を行い、高スループットを実現するＤｕａｌ  ｃｏｎｎｅｃｔｉｖｉｔｙ（二重接続）が提案されている（非特許文献２）。つまり、Ｄｕａｌ  ｃｏｎｎｅｃｔｉｖｉｔｙでは、ユーザ装置ＵＥは、２つの物理的に異なる基地局ｅＮＢの無線リソースを同時に使用して通信を行う。【０００７】
Ｄｕａｌ  ｃｏｎｎｅｃｔｉｖｉｔｙ（以下ではＤＣと記述する）は、ＣＡの一種であり、Ｉｎｔｅｒ−ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図３に、ＤＣの例を示す。図３の例では、ＭｅＮＢがＣＣ＃１でユーザ装置ＵＥと通信を行い、ＳｅＮＢがＣＣ＃２でユーザ装置ＵＥと通信を行うことでＤＣを実現している。【０００８】
ＤＣにおいて、ＭｅＮＢ配下のセル（１つ又は複数）をＭＣＧ（Ｍａｓｔｅｒ  Ｃｅｌｌ  Ｇｒｏｕｐ、マスターセルグループ）、ＳｅＮＢ配下のセル（１つ又は複数）をＳＣＧ（Ｓｅｃｏｎｄａｒｙ  Ｃｅｌｌ  Ｇｒｏｕｐ、セカンダリセルグループ）と呼ぶ。最初に追加するＳＣＧのセルをＰＳＣｅｌｌ（ｐｒｉｍａｒｙ  ＳＣｅｌｌ）と呼ぶ。
【先行技術文献】
【非特許文献】
【０００９】
【非特許文献１】３ＧＰＰ  ＴＳ  ３６．３００  Ｖ１２．１．０  （２０１４−０３）
【非特許文献２】３ＧＰＰ  ＴＲ  ３６．８４２  Ｖ１２．０．０  （２０１３−１２）
【発明の概要】
【発明が解決しようとする課題】
【００１０】
ＣＡ（ＤＣでないＣＡ）の場合と同様に、ＤＣにおいても、ＵＥ実装簡易化の観点から、ＭＣＧとＳＣＧの測定ギャップを区別せずに、ユーザ装置ＵＥ単位の測定ギャップが適用されることが想定される。【００１１】
ＬＴＥにおける測定ギャップ（測定ギャップとなるＳＦＮ／サブフレーム番号）は、設定情報（ギャップパターン（周期情報含む）、ギャップオフセット）に基づいて算出されるが、ある時刻において、ＭＣＧ（ＭｅＮＢ）におけるサブフレーム（ＳＦＮ／サブフレーム番号）とＳＣＧ（ＳｅＮＢ）におけるサブフレーム（ＳＦＮ／サブフレーム番号）にはずれがあることが想定される。【００１２】
また、図４Ａに示すように、ＣＡ（ＤＣでないＣＡ）においてアグリゲートするＣＣは、同一基地局ｅＮＢに属するため、サブフレーム境界（Ｓｕｂｆｒａｍｅ  ｂｏｕｎｄａｒｙ）は同期（アライン）している。一方、ＤＣにおいては、上記のようなＳＦＮ／サブフレーム番号のずれがＭＣＧとＳＣＧ間で存在するのみならず、図４Ｂに示すように、ＭＣＧ（ＣＣ＃１含む）とＳＣＧ（ＣＣ＃２含む）間でサブフレーム境界にずれがある可能性がある。【００１３】
ＤＣにおいてユーザ装置ＵＥ単位の測定ギャップを適用するために、ＭＣＧとＳＣＧ間で測定ギャップを揃える必要がある。そのためにはＭＣＧとＳＣＧ間の時間のずれを基地局ｅＮＢ側で把握しておく必要があるが、そのための具体的な従来技術はなく、基地局ｅＮＢはずれを適切に把握することができない。【００１４】
本発明は上記の点に鑑みてなされたものであり、一実施形態に関連して、本発明は、基地局間キャリアアグリゲーションによりユーザ装置と通信を行う第１の基地局及び第２の基地局を含む移動通信システムにおいて、第１の基地局におけるサブフレームと第２の基地局におけるサブフレームとの間の時間差の情報を基地局側で把握することを可能とする技術を提供することを主要な目的とする。【００１５】
また、他の実施形態に関連して、本発明は、第１の基地局と第２の基地局との間でサブフレーム境界にずれがある場合でも適切に測定ギャップを設定することを可能とする技術を提供することを目的としている。
【課題を解決するための手段】
【００１６】
本発明の実施の形態によれば、基地局間キャリアアグリゲーションによりユーザ装置と通信を行う第１の基地局及び第２の基地局を含む移動通信システムにおいて使用される前記ユーザ装置であって、
前記第１の基地局におけるサブフレームと前記第２の基地局におけるサブフレームとの間の時間差を測定する測定手段と、
所定の通知トリガを検出した場合に、前記測定手段により測定された前記時間差に関する時間差情報を前記第１の基地局又は前記第２の基地局に通知する通知手段とを備えるユーザ装置が提供される。【００１７】
また、本発明の実施の形態によれば、基地局間キャリアアグリゲーションによりユーザ装置と通信を行う第１の基地局及び第２の基地局を含む移動通信システムにおいて使用される前記ユーザ装置であって、
前記第１の基地局又は前記第２の基地局から測定ギャップの設定情報を受信する受信手段と、
前記設定情報に基づいて前記第１の基地局に対する測定ギャップを設定するとともに、前記第１の基地局に対する測定ギャップとなるサブフレームと重なるサブフレームを前記第２の基地局に対する測定ギャップとして設定する測定制御手段とを備えるユーザ装置が提供される。【００１８】
また、本発明の実施の形態によれば、基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置、又は、前記第１の基地局から、測定ギャップの設定情報を受信し、当該設定情報と前記時間差情報に基づいて、前記ユーザ装置における前記基地局に対する測定ギャップを算出し、当該測定ギャップの前後所定期間も測定ギャップと見なす測定制御手段とを備える基地局が提供される。【００１９】
また、本発明の実施の形態によれば、基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置における前記第１の基地局に対する測定ギャップの絶対時間を、当該測定ギャップの設定情報と前記受信手段により受信した前記時間差情報とに基づき算出し、当該絶対時間に基づいて、前記ユーザ装置における前記基地局に対する測定ギャップを算出する測定制御手段とを備える基地局が提供される。【００２０】
また、本発明の実施の形態によれば、基地局間キャリアアグリゲーションによりユーザ装置と通信を行う第１の基地局及び第２の基地局を含む移動通信システムにおいて使用される前記ユーザ装置が実行する時間差情報通知方法であって、
前記第１の基地局におけるサブフレームと前記第２の基地局におけるサブフレームとの間の時間差を測定する測定ステップと、
所定の通知トリガを検出した場合に、前記測定ステップにより測定された前記時間差に関する時間差情報を前記第１の基地局又は前記第２の基地局に通知する通知ステップとを備える時間差情報通知方法が提供される。
【発明の効果】
【００２１】
本発明の実施の形態によれば、基地局間キャリアアグリゲーションによりユーザ装置と通信を行う第１の基地局及び第２の基地局を含む移動通信システムにおいて、第１の基地局におけるサブフレームと第２の基地局におけるサブフレームとの間の時間差の情報を基地局側で把握することを可能とする技術が提供される。【００２２】
また、本発明の実施の形態によれば、第１の基地局と第２の基地局との間でサブフレーム境界にずれがある場合でも適切に測定ギャップを設定することが可能となる。
【図面の簡単な説明】
【００２３】
【図１】Ｍｅａｓｕｒｅｍｅｎｔ  ｇａｐを説明するための図である。
【図２】Ｒｅｌ−１１までのＣＡを示す図である。
【図３】Ｄｕａｌ  Ｃｏｎｎｅｃｔｉｖｉｔｙの例を示す図である。
【図４Ａ】Ｄｕａｌ  Ｃｏｎｎｅｃｔｉｖｉｔｙにおける課題を説明するための図である。
【図４Ｂ】Ｄｕａｌ  Ｃｏｎｎｅｃｔｉｖｉｔｙにおける課題を説明するための図である。
【図５】本発明の実施の形態における通信システムの構成例を示す図である。
【図６】本実施の形態における通信システムの基本的な動作例を示す図である。
【図７】ずれ通知方法例１を説明するための図である。
【図８】ずれ通知方法例２を説明するための図である。
【図９】ずれ通知方法例３を説明するための図である。
【図１０Ａ】ずれ情報例１を説明するための図である。
【図１０Ｂ】ずれ情報例１を説明するための図である。
【図１１】ずれ情報例２を説明するための図である。
【図１２】ＭＣＧとＳＣＧ間のサブフレーム境界にずれがある場合の状況を説明するための図である。
【図１３】サブフレーム境界にずれがある場合の対処方法例１を説明するための図である。
【図１４】サブフレーム境界にずれがある場合の対処方法例１を説明するための図である。
【図１５】サブフレーム境界にずれがある場合の対処方法例２を説明するための図である。
【図１６】本発明の実施の形態におけるユーザ装置ＵＥの構成例を示す図である。
【図１７】ユーザ装置ＵＥの動作例を示すフローチャートである。
【図１８】ユーザ装置ＵＥの動作例を示すフローチャートである。
【図１９】ユーザ装置ＵＥの動作例を示すフローチャートである。
【図２０】本発明の実施の形態における基地局ｅＮＢ（ＭｅＮＢ、ＳｅＮＢ）の構成例を示す図である。
【図２１】基地局ｅＮＢ（ＭｅＮＢ、ＳｅＮＢ）の動作例を示すフローチャートである。
【図２２】基地局ＳｅＮＢの動作例を示すフローチャートである。
【発明を実施するための形態】
【００２４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥに対応していることを想定しているが、本発明はＬＴＥに限らず、他の方式にも適用可能である。また、本明細書及び特許請求の範囲では、特に断らない限り、「ＬＴＥ」の用語は３ＧＰＰのＲｅｌ−１２、もしくは、Ｒｅｌ−１２以降の方式の意味で使用する。
【００２５】
（通信システム全体構成、基本動作）
図５に本発明の実施の形態に係る移動通信システムの構成例を示す。図５に示すように、本実施の形態に係る移動通信システムは、それぞれコアネットワーク１０に接続される基地局ＭｅＮＢと基地局ＳｅＮＢを備え、ユーザ装置ＵＥとの間でＤｕａｌ  ｃｏｎｎｅｃｔｉｖｉｔｙ（ＤＣ）を可能としている。また、基地局ＭｅＮＢと基地局ＳｅＮＢとの間は、例えばＸ２インターフェースにより通信可能である。
【００２６】
本実施の形態における基本的な動作を図６を参照して説明する。本実施の形態において、基地局ＭｅＮＢ（基地局ＳｅＮＢでもよい）がユーザ装置ＵＥに対して測定ギャップ設定を行う（ステップ１０１）。より具体的には、当該設定は、ＲＲＣＣｏｎｎｅｃｔｉｏｎＲｅｃｏｎｆｉｇｕｒａｔｉｏｎメッセージにおけるＭｅａｓｕｒｍｅｎｔ  Ｃｏｎｆｉｇｕｒａｔｉｏｎの情報要素（ｍｅａｓＧａｐＣｏｎｆｉｇ）によりなされる。本実施の形態において、測定ギャップの時間長は６ｍｓ（６サブフレーム）であり、ｍｅａｓＧａｐＣｏｎｆｉｇにより、周期（ギャップパターン：４０ｍｓもしくは８０ｍｓ）とオフセット（ｇａｐＯｆｆｓｅｔ）が指定される。
【００２７】
測定ギャップ設定がされたユーザ装置ＵＥは、設定に従って測定ギャップを適用する（ステップ１０２）。すなわち、ユーザ装置ＵＥは、上記の周期（ＭＧＲＰ）とオフセットから算出されるＳＦＮ／サブフレーム番号から開始する測定ギャップにおいてＤＬ及びＵＬ送受信を中断する動作を行う。ユーザ装置ＵＥは測定を行い（ステップ１０３）、測定報告（Ｍｅａｓｕｒｅｍｅｎｔ  ｒｅｐｏｒｔ）を送信する（ステップ１０４）。
【００２８】
（ずれ通知方法について）
前述したように、ＭＣＧ、ＳＣＧ間でサブフレームレベルで測定ギャップを揃えるためには、ＭＣＧとＳＣＧ間のＳＦＮ／サブフレーム番号のずれを基地局側で把握しておく必要がある。本実施の形態では、ユーザ装置ＵＥが当該ずれの情報を基地局側に通知することとしており、以下、その方法として、ずれの通知方法例１〜３について説明する。
【００２９】
＜ずれ通知方法例１＞
まず、ずれ通知方法例１を説明する。ずれ通知方法例１は、基地局ＳｅＮＢ（ＰＳＣｅｌｌ）を設定（追加）した際に、ＭＣＧとＳＣＧ間のサブフレームの時間のずれを通知するものである。つまり、基地局間キャリアアグリゲーションを行うための設定を行ったことをトリガとして通知する。
【００３０】
図７を参照してずれ通知方法例１における動作シーケンスの例を説明する。なお、ＰＳＣｅｌｌ（ＳｅＮＢ）を設定（追加）する際のシーケンスは図７に示すものに限られるわけではなく、図７に示すものは一例に過ぎない。また、図７は主要な信号の流れを示すものである。これらの点は他のシーケンス図についても同様である。更に、本実施の形態では、ＲＲＣ接続をＭｅＮＢとユーザ装置ＵＥ間で行うことを想定しているが、ＳｅＮＢとの間でＲＲＣ接続を行うこととしてもよい。
【００３１】
図７に示すように、基地局ＭｅＮＢが、ＳｅＮＢ追加要求をＳｅＮＢとなる基地局である基地局ＳｅＮＢに送信する（ステップ２０１）。基地局ＳｅＮＢはＳｅＮＢ追加要求確認応答を基地局ＭｅＮＢに返す（ステップ２０２）。そして、基地局ＭｅＮＢは、ユーザ装置ＵＥに対してＲＲＣ信号（例：ＲＲＣＣｏｎｎｅｃｔｉｏｎＲｅｃｏｎｆｉｇｕｒａｔｉｏｎ）を送信することによりＳｅＮＢ追加設定の指示を行う（ステップ２０３）。
【００３２】
上記指示を受信したユーザ装置ＵＥは、ＳｅＮＢ（ＰＳＣｅｌｌ）を追加し、基地局ＳｅＮＢとの通信を開始する。また、ユーザ装置ＵＥは、基地局ＭｅＮＢから受信する信号（同期信号、報知情報等）と基地局ＳｅＮＢから受信する信号（同期信号、報知情報等）に基づいて、ＭＣＧとＳＣＧ間のサブフレームのずれを測定し、ずれ情報（時間差情報）を取得する。ずれ情報（時間差情報）の例については後述する。
【００３３】
ＳｅＮＢ追加設定の後、ユーザ装置ＵＥは、ＳｅＮＢ追加設定完了（例：ＲＲＣＣｏｎｎｅｃｔｉｏｎＲｅｃｏｎｆｉｇｕｒａｔｉｏｎＣｏｍｐｌｅｔｅ）のメッセージを基地局ＭｅＮＢに送信するが、図７の例では、ユーザ装置ＵＥは、当該メッセージに上記のずれ情報を含めて送信する（ステップ２０４）。当該ずれ情報を含むメッセージは、基地局ＭｅＮＢから基地局ＳｅＮＢに送信される（ステップ２０５）。
【００３４】
上記の例ではＳｅＮＢ追加設定完了のメッセージにずれ情報を含めることとしたが、これは一例にすぎず、例えば、ステップ２０６に示すように、ＳｅＮＢ追加設定完了送信の前にずれ情報を送信してもよい。また、ステップ２０７に示すように、ＳｅＮＢ追加設定完了送信の後にずれ情報を送信してもよい。いずれの場合も、ずれ情報は基地局ＭｅＮＢから基地局ＳｅＮＢに送信される。
【００３５】
なお、トリガ検出に基づくずれ情報の通知は、ユーザ装置ＵＥから基地局ＳｅＮＢに対して行ってもよいし、基地局ＭｅＮＢと基地局ＳｅＮＢの両方に行ってもよい。以下で説明するずれ通知方法例２、３でも同様である。
【００３６】
＜ずれ通知方法例２＞
次に、ずれ通知方法例２を説明する。ずれ通知方法例２は、Ｅｖｅｎｔ  Ａ２の測定報告を送信するタイミング（Ｅｖｅｎｔ  Ａ２がトリガされたタイミング）で、ずれ情報を通知するものである。
【００３７】
Ｅｖｅｎｔ  Ａ２は、サービングセル（その周波数は測定設定で指定される）の受信強度／受信品質が所定閾値より劣化した場合に、当該セルについての測定報告をユーザ装置ＵＥから基地局ｅＮＢに通知するものである。
【００３８】
Ｅｖｅｎｔ  Ａ２がトリガされ測定報告が送信される場合、基地局ＭｅＮＢはユーザ装置ＵＥに別周波数の無線品質を測定させるために、測定ギャップを設定することが想定されることから、ずれ通知方法例２では、Ｅｖｅｎｔ  Ａ２がトリガされたタイミングでずれ情報を通知するのである。なお、Ｅｖｅｎｔ  Ａ２は一例であり、測定ギャップを設定することが想定される他のＥｖｅｎｔ発生をトリガにしてずれ情報を通知してもよい。
【００３９】
図８を参照してずれ通知方法例２における動作シーケンスの例を説明する。基地局ＭｅＮＢはユーザ装置ＵＥに測定設定のメッセージを送信する（ステップ３０１）。当該測定設定には報告トリガとしてＥｖｅｎｔ  Ａ２を指示する情報が含まれる。ユーザ装置ＵＥは所定の周波数の測定を行って、Ｅｖｅｎｔ  Ａ２のトリガが発生（受信品質等が閾値より劣化）したことを検出する（ステップ３０２）。
【００４０】
ユーザ装置ＵＥは、上記の検出をトリガとして、あるいは、上記の検出にかかわらずに、基地局ＭｅＮＢから受信する信号（同期信号、報知情報等）と基地局ＳｅＮＢから受信する信号（同期信号、報知情報等）に基づいて、ＭＣＧとＳＣＧ間のサブフレームのずれを測定し、ずれ情報を取得する。そして、ユーザ装置ＵＥは、Ｅｖｅｎｔ  Ａ２の測定報告にずれ情報を含めて送信する（ステップ３０３）。このずれ情報は、基地局ＭｅＮＢから基地局ＳｅＮＢに通知される（ステップ３０４）。
【００４１】
また、測定報告にずれ情報を含めて送信することに代えて、もしくはこれに加えて、図８のステップ３０５に示すように、測定報告を送信した後にずれ情報を別信号で送信することとしてもよい。この場合もずれ情報は、基地局ＭｅＮＢから基地局ＳｅＮＢに通知される。別信号で報告する際、当該データに対してＵＬデータ量報告がトリガされなくてもよい。即ち、ＲｅｇｕｌａｒＢＳＲがトリガされなくてもよい。或いはＳｃｈｅｄｕｌｉｎｇ  ｒｅｑｕｅｓｔ送信がトリガされなくてもよい。この場合、他のＵＬデータ発生にともなって基地局ＭｅＮＢ又はＳｅＮＢから割り当てられるＵＬ  ｇｒａｎｔで送信が行われる。
【００４２】
ずれ通知方法例２では、ユーザ装置ＵＥは測定ギャップが設定される可能性がある場合にのみずれ情報を通知するので、不要なＵＬ制御信号を低減することが可能である。
【００４３】
＜ずれ通知方法例３＞
次に、ずれ通知方法例３を説明する。ずれ通知方法例３は、ユーザ装置ＵＥが基地局ＭｅＮＢから測定ギャップを設定するＲＲＣ信号（例：ＲＲＣＣｏｎｎｅｃｔｉｏｎＲｅｃｏｎｆｉｇｕｒａｔｉｏｎ）を受信した時点でずれ情報を通知するものである。なお、ＲＲＣ信号に測定ギャップを設定する情報要素（例：ｍｅａｓＧａｐＣｏｎｆｉｇ）が含まれている場合にのみずれ情報の通知を行うこととしてもよく、以下で説明するシーケンス例では、測定ギャップを設定する情報要素が含まれることを想定している。
【００４４】
また、基地局ＭｅＮＢ（ＭＣＧ）と基地局ＳｅＮＢ（ＳＣＧ）のＳＦＮ／サブフレーム番号が同期している場合（ずれが所定閾値以下である場合（＝ずれがないと見なせる場合））にはずれを報告する必要はない。従って、ユーザ装置ＵＥは非同期であること（ずれがあること）を検出した場合にのみずれ情報を通知してもよい。このような動作ではＮＷ側（具体的には基地局ＭｅＮＢ）は報告がないことを以てずれがないことを暗に把握することが可能である。
【００４５】
ずれ通知方法例３では、実際に測定ギャップが設定される際にずれ情報を通知することができるので、ずれ通知方法例２と比較して、より不要なＵＬ制御信号を低減することが可能である。
【００４６】
図９を参照してずれ通知方法例３における動作シーケンスの例を説明する。基地局ＭｅＮＢはユーザ装置ＵＥに対して測定ギャップ設定を行うＲＲＣ信号を送信する（ステップ４０１）。
【００４７】
ユーザ装置ＵＥは、これまでに説明したようにしてＭＣＧとＳＣＧ間のサブフレームのずれを測定しており、ずれ情報を取得している。
【００４８】
測定ギャップ設定の指示を受信したユーザ装置ＵＥは、ずれがある場合にずれ情報を送信することを決定し、まず、ずれの量が所定の閾値以上であるかどうかを判定する（ステップ４０２）。ステップ４０２の判定結果がＮｏである場合は、すれ情報の通知を行わない（ステップ４０６）。
【００４９】
ステップ４０２の判定結果がＹｅｓである場合、ユーザ装置ＵＥはずれ情報を基地局ＭｅＮＢに通知する（ステップ４０３）。当該ずれ情報は基地局ＭｅＮＢから基地局ＳｅＮＢに送信される（ステップ４０４）。
【００５０】
なお、ステップ４０３におけるずれ情報は、測定ギャップを設定するＲＲＣ信号に対するｃｏｍｐｌｅｔｅメッセージ（例：ＲＲＣＣｏｎｎｅｃｔｉｏｎＲｅｃｏｎｆｉｇｕｒａｔｉｏｎＣｏｍｐｌｅｔｅ）に含めて通知してもよい。
【００５１】
（ずれ情報の例）
ユーザ装置ＵＥが基地局ＭｅＮＢに通知するずれ情報は、基地局ＭｅＮＢもしくはＳｅＮＢ側でずれの量を把握できる情報であればどのような情報でもよいが、例えば図１０Ａ、１０Ｂ、図１１を参照して説明する情報とすることができる。
【００５２】
図１０Ａ、Ｂは、ずれ情報例１を説明するための図である。ずれ情報例１は、ＭＣＧとＳＣＧ間でサブフレームがどのくらいずれているかを示す時間情報である。つまり、ＭＣＧ（ＭＣＧ内の複数ＣＣ間が同期していることが前提、ＳＣＧも同様）におけるある時間位置のＳＦＮ／サブフレーム（例：ＳＦＮ＝３、サブフレーム０）の時刻、ＳＣＧにおける当該ＳＦＮ／サブフレーム（ＳＦＮ＝３、サブフレーム０）の時刻との差分を示す時間差情報をずれ情報とする。時間差情報は、時間であってもよいし、サブフレーム数であってもよいし、その他の情報であってもよい。なお、各基地局のＳＦＮ、サブフレーム番号は例えば当該基地局から報知される報知情報から把握することが可能である。
【００５３】
図１０Ａの例は、基地局ＭｅＮＢ（ＭＣＧ）のあるサブフレームの開始端より後にある基地局ＳｅＮＢ（ＳＣＧ）の対応するサブフレームとの時間差を測定し、ずれ情報として通知するものである。図１０Ａの例では、時間差の情報のみで、ＭＣＧのほうが、時間差の分だけＳＣＧよりも進んでいることがわかる。
【００５４】
図１０Ｂの例は、基地局ＭｅＮＢ（ＭＣＧ）のサブフレーム端（図１０Ｂの例ではＳＦＮ＝３／サブフレーム０の開始端）に最も近い基地局ＳｅＮＢの対応するサブフレーム端との時間差を測定し、当該時間差と、どちらのサブフレームが相対的に先かの情報とともに報告するものである。
【００５５】
本実施の形態では、基地局ＭｅＮＢがユーザ装置ＵＥに対する測定ギャップの設定を行う場合において、基地局ＳｅＮＢは、基地局ＭｅＮＢからユーザ装置ＵＥに設定する測定ギャップ設定情報（ギャップパターン、ギャップオフセット等）を受信し、当該測定ギャップ設定情報を保持している。
【００５６】
そして、当該ギャップパターンとギャップオフセットに基づいて、ずれを考慮しないとした場合に測定ギャップ（ＤＬ／ＵＬスケジューリングを行わない期間）の開始点とするＳＦＮとサブフレーム番号を所定の計算式から算出し、さらに、上記のずれ情報（時間差）を、算出した測定ギャップに適用することで、ずれを考慮した測定ギャップ（ＤＬ／ＵＬスケジューリングを行わない期間）を算出する。ずれ情報（時間差）を測定ギャップに適用するとは、ＭＣＧの測定ギャップとＳＣＧの測定ギャップができるだけ揃うようにすることである。
【００５７】
図１０Ａの例において、ＳＦＮ＝３、サブフレーム＝０〜５がＭＣＧの測定ギャップ（周期的に訪れる１つのギャップ）であるとした場合に、ＳＣＧでは、ＳＦＮ＝２のサブフレーム８から、ＳＦＮ＝３のサブフレーム３までを測定ギャップとするものである。ただし、図４Ｂで説明したように、サブフレーム境界のずれは残る。サブフレーム境界のずれについての対処方法については後述する。
【００５８】
上記のようなＳＣＧ側でのずれの調整は、ユーザ装置ＵＥにおいても同様に行われる。つまり、図１０Ａの例において、例えばユーザ装置ＵＥがＳＦＮ＝３、サブフレーム＝０〜５をＭＣＧの測定ギャップであると算出した場合に、ＳＣＧ側では、ＳＦＮ＝２のサブフレーム８から、ＳＦＮ＝３のサブフレーム３までを測定ギャップとする。
【００５９】
図１１は、ずれ情報例２を説明するための図である。ずれ情報例２は、ユーザ装置ＵＥにおいてＭＣＧとＳＣＧとのサブフレームのずれを考慮して、ＭＣＧとＳＣＧ間が揃うようにＳＣＧにおけるギャップパターンとギャップオフセットを算出し通知するものである。
【００６０】
基地局ＭｅＮＢ経由で当該ずれ情報（ギャップパターンとギャップオフセット）を受信した基地局ＳｅＮＢにおいて、当該ギャップパターンとギャップオフセットを用いて測定ギャップを算出することで、ＭＣＧとＳＣＧが揃うように測定ギャップが算出される。例えば、上述した図１０Ａの例において、ＳＦＮ＝３、サブフレーム＝０〜５が測定ギャップ（周期的に訪れる１つのギャップ）であるとした場合に、ＳＣＧでは、上記ずれ情報（ギャップパターンとギャップオフセット）を用いて測定ギャップを算出することで、ＳＦＮ＝２のサブフレーム８から、ＳＦＮ＝３のサブフレーム３までを測定ギャップとして算出できる。ただし、上記と同様に、サブフレーム境界のずれは残る。
【００６１】
ユーザ装置ＵＥも同様にして、ＳＣＧにおけるギャップパターンとギャップオフセットからＳＣＧの測定ギャップを算出する。
【００６２】
ずれ情報例２のようなずれ情報を算出し、基地局ＳｅＮＢに通知することにより、ＭｅＮＢとＳｅＮＢ間で測定ギャップ設定情報（ＭＧ  ｃｏｎｆｉｇ）の情報交換を行う必要がなく、ＮＷ実装簡易化やＸ２信号低減が可能となる。なお、ユーザ装置ＵＥは、基地局ＭｅＮＢから受信する設定情報（ギャップパターンとギャップオフセット）を、補正することなくＳｅＮＢに通知することとしてもよい。この場合、基地局ＳｅＮＢは別途取得するずれ情報に基づきＭＣＧ側と揃えられた測定ギャップを算出できる。
【００６３】
（サブフレーム境界のずれの対処方法）
図４Ｂに示したように、ＭＣＧとＳＣＧ間でサブフレーム境界にずれがある場合、上記のようにＳＦＮ／サブフレームを揃えるような調整を行ったとしても、サブフレーム境界のずれている分だけＭｅＮＢとＳｅＮＢ間で互いの測定ギャップが重ならない部分が発生する。そのため、ＤＬ受信／ＵＬ送信等を不要にトライする可能性があり、リソース利用効率低下やＵＬ干渉によるシステムスループットが低下する可能性がある。
【００６４】
ＭＣＧとＳＣＧ間でサブフレーム境界のずれがある場合の状況を図１２に示す。図１２に示すように、ＭＣＧにおけるＡ〜Ｂの期間、及びＳＣＧにおけるＣ〜Ｄの期間がそれぞれ、設定情報（及びずれ情報）に基づき測定ギャップとして算出された期間である。図１２に示す例では、ＭＣＧにおける測定ギャップとＳＣＧにおける測定ギャップとの間に１サブフレームの半分程度のずれがある。
【００６５】
このとき、ＭｅＮＢ（ＭＣＧ）側のＥで示すサブフレームは、ＭＣＧからすると測定ギャップではないが、ＳＣＧからすると測定ギャップのタイミングなので、Ｅで示すサブフレームにおいて、ユーザ装置ＵＥはＭＣＧに対しても送受信不可である。また、基地局ＭｅＮＢは当該ＥのサブフレームにおいてＵＬ／ＤＬスケジューリング不可である。
【００６６】
同様に、ＳｅＮＢ（ＳＣＧ）側のＦで示すサブフレームは、ＳＣＧからすると測定ギャップではないが、ＭＣＧからすると測定ギャップのタイミングなので、Ｆで示すサブフレームにおいて、ユーザ装置ＵＥはＳＣＧに対しても送受信不可である。また、基地局ＳｅＮＢは当該ＦのサブフレームにおいてＵＬ／ＤＬスケジューリング不可である。なお、本実施の形態では、スケジューリング単位及び送受信不可単位をサブフレーム単位としている。
【００６７】
すなわち、サブフレーム境界にずれがある場合、算出された測定ギャップのタイミングでなくとも、送受信不可／スケジューリング不可となる期間が発生する。
【００６８】
なお、ＭｅＮＢとＳｅＮＢとで測定ギャップを独立に設定することが容易にできるのであれば、図１２に示す状況は課題にならないが、実際には、ＭｅＮＢとＳｅＮＢとで測定ギャップを独立に設定することはＵＥ実装上難しい。そこで、本実施の形態では、ＭｅＮＢとＳｅＮＢ間で共通の測定ギャップを設定することを前提としている。
【００６９】
本実施の形態では、以下で説明するように、サブフレーム境界にずれがある場合の対処を行っている。以下、対処方法例１と対処方法例２を説明する。このような対処を行うことで、ＭｅＮＢとＳｅＮＢ間で共通の測定ギャップを適切に設定でき、ＵＥ実装を簡易化できる。
【００７０】
＜サブフレーム境界にずれがある場合の対処方法例１＞
サブフレーム境界にずれがある場合の対処方法例１では、ユーザ装置ＵＥはＭＣＧとＳＣＧの両方において測定ギャップ前後の所定期間（例：１サブフレーム分、１ｍｓ）で送受信を行わないこととする。また、基地局ＭｅＮＢ／ＳｅＮＢは配下のＣＣ（ＣＧ）において、測定ギャップの前後はＤＬ／ＵＬスケジューリングを行わないこととする。
【００７１】
すなわち、ユーザ装置ＵＥはＭＣＧとＳＣＧの測定ギャップのそれぞれで、算出された測定ギャップの前後を送受信不可タイミング（測定ギャップの追加分）であると見なす。また、基地局ＭｅＮＢ及びＳｅＮＢはそれぞれ、自身の算出した測定ギャップの前後をＤＬ／ＵＬスケジューリング不可タイミング（測定ギャップの追加分）であると見なす。
【００７２】
図１３には、図１２と同じ状況における対処方法１が示される。図１３に示すように、ＭｅＮＢ（ＭＣＧ）側では、測定ギャップ前後のＧとＥのサブフレームにおいて、ユーザ装置ＵＥでは送受信不可とし、基地局ＭｅＮＢではＤＬ／ＵＬスケジューリング不可とする。つまり、Ｇ〜Ｅが測定ギャップと見なされる。また、ＳｅＮＢ（ＳＣＧ）側では、測定ギャップ前後のＦとＨのサブフレームにおいて、ユーザ装置ＵＥでは送受信不可とし、基地局ＳｅＮＢではＤＬ／ＵＬスケジューリング不可とする。つまり、Ｆ〜Ｈが測定ギャップと見なされる。
【００７３】
ただし、ＭＣＧとＳＣＧ間のサブフレーム境界のずれが十分に小さい場合（例：所定閾値以下である場合）においては、上記の所定期間においても送受信可能と判断する機能を有してもよい。すなわち、上記の所定期間を設けなくてもよい。
【００７４】
サブフレーム境界のずれの大小の判断について、ユーザ装置ＵＥは自分で測定したずれ情報を使用でき、基地局ＭｅＮＢ／ＳｅＮＢは、ユーザ装置ＵＥから通知されるずれ情報を使用することができる。また、ユーザ装置ＵＥからずれ情報の通知を受けることなく、基地局ＭｅＮＢと基地局ＳｅＮＢ間で情報交換することで、基地局ＭｅＮＢ／ＳｅＮＢは、ＳＦＮ／サブフレームのずれ及びサブフレーム境界のずれを把握し、ずれを考慮した測定ギャップの算出や、ずれの大小判断を行ってもよい。
【００７５】
図１４を参照して、対処方法例１の動作シーケンスの例を説明する。この例では、基地局（ＭｅＮＢ又はＳｅＮＢ）はユーザ装置ＵＥに対して、測定ギャップの前後を送受信不可タイミングであると見なす旨の指示を送信する（ステップ５０１）。この指示は、基地局（ＭｅＮＢ又はＳｅＮＢ）において、境界ずれが所定閾値以上である場合にのみ行うこととしてもよい。この指示がない場合は、以下の処理を行う必要はない。当該指示は、新規のキャップ設定情報として定義してもよいし、新規のＲＲＣ信号、ＭＡＣ信号、ＰＨＹ信号であってもよい。
【００７６】
ユーザ装置ＵＥは、ＭＣＧとＳＣＧとの間のサブフレーム境界のずれ量が閾値以上であるか否かを判断する（ステップ５０２）。ステップ５０２の判定結果がＹｅｓ（ずれが閾値以上）である場合は、ＭＣＧとＳＣＧのそれぞれで測定ギャップ（ＭＧ）の前後を送受信不可タイミングとする（測定ギャップと見なす）（ステップ５０３）。ステップ５０２の判定結果がＮｏ（ずれが閾値未満）である場合は、測定ギャップ（ＭＧ）の前後を送受信不可タイミングとはせず（ステップ５０４）、設定情報等から算出された測定ギャップを使用する。
【００７７】
＜サブフレーム境界にずれがある場合の対処方法例２＞
対処方法例２では、ＳＣＧ側について、ユーザ装置ＵＥ及び基地局ＳｅＮＢはそれぞれ、ギャップパターンとギャップオフセットを用いた測定ギャップのタイミング算出を行うのでなく、ＴｉｍｅＳｔａｍｐ（絶対時間）に基づく測定ギャップのタイミング算出を行うこととする。
【００７８】
図１５に示す例を参照してユーザ装置ＵＥの動作例を説明する。まず、ユーザ装置ＵＥは、基地局ＭｅＮＢ（又は基地局ＳｅＮＢ）からの測定ギャップ設定（ギャップパターンとギャップオフセット）を用いて測定ギャップを算出し、図１５に示すＭＣＧ側の測定ギャップが得られる。
【００７９】
ユーザ装置ＵＥは、ＭＣＧ側の測定ギャップの先頭の時刻Ｔを取得し、例えば、当該時刻ＴがＳＣＧ側のＳＦＮ＝３のサブフレーム２であることを把握し、当該サブフレーム２を先頭とする７個分（７ｍｓ）のサブフレームを測定ギャップとする。７個分のうち、先頭のサブフレームはＭＣＧ側の先頭のサブフレームの先頭端を含み、最後のサブフレームはＭＣＧ側の最後のサブフレームの最後端を含む。すなわち、ＭＣＧに対する測定ギャップとなるＭＣＧ側のサブフレームと重なるＳＣＧ側のサブフレームをＳＣＧに対する測定ギャップとして設定する。図１５の例では、ＭＣＧに対する測定ギャップとなるＭＣＧ側の６サブフレームは、ＳＣＧに対する測定ギャップとなるサブフレームと時間領域で重なっている。より詳細には、図１５の例では、ＭＣＧに対する測定ギャップとなるＭＣＧ側の６サブフレームは、ＳＣＧに対する測定ギャップとなる７サブフレームに時間領域で含まれている。
【００８０】
基地局ＳｅＮＢは、図７〜図１０等で説明したように、ＭＣＧとＳＣＧとの間のずれ情報（時間差）を取得しており、当該ずれ情報を用いて、上記のユーザ装置ＵＥと同様の処理を行う。すなわち、図１５の例において、基地局ＳｅＮＢは、測定ギャップ設定情報を有しており、測定ギャップとなるＳＦＮ／サブフレーム番号を算出する（図１５のＭＣＧの測定ギャップに相当）。そして、基地局ＳｅＮＢは、ずれ情報を用いて、ＭＣＧ側の測定ギャップの先頭の時刻Ｔを取得し、例えば、当該時刻ＴがＳＣＧ側のＳＦＮ＝３のサブフレーム２であることを把握し、当該サブフレーム２を先頭とする７個分（７ｍｓ）のサブフレームを測定ギャップ（ＵＬ／ＤＬスケジューリングを行わない期間）とする。
【００８１】
対処方法例２により、図１５に示すとおり、ＭＣＧは、ＳＣＧの測定ギャップの影響を受けないため、スケジューリング出来ない期間は６ｍｓのみであり、追加の送受信不可期間／スケジューリング不可期間はない。すなわち、ＭＣＧ側はＳＣＧ側からの測定ギャップの影響を受けないため、既存ＬＴＥ（６ｍｓ）と比較してスケジューリング不可期間を増加させずにすみ、スループット低下を回避することができる。一方、ＳＣＧにおいては、測定ギャップの期間がＭＣＧ側より１サブフレーム多くなるが、対処方法例１よりは送受信不可期間／スケジューリング不可期間は少ない。
【００８２】
なお、ＭＣＧとＳＣＧ間のサブフレーム境界のずれが十分小さい場合（例えば、所定閾値以下）においては、上記ＳＣＧにおける送受信不可期間／スケジューリング不可期間を設けないこととしてもよい。この場合でも、ＭＣＧに対する測定ギャップとなるサブフレームと重なるサブフレームがＳＣＧに対する測定ギャップとして設定される。
【００８３】
サブフレーム境界のずれの大小の判断について、ユーザ装置ＵＥは自分で測定したずれ情報を使用でき、基地局ＭｅＮＢ／ＳｅＮＢは、ユーザ装置ＵＥから通知されるずれ情報を使用することができる。また、ユーザ装置ＵＥからずれ情報の通知を受けることなく、基地局ＭｅＮＢと基地局ＳｅＮＢ間で情報交換することで、基地局ＭｅＮＢ／ＳｅＮＢは、ＳＦＮ／サブフレームのずれ及びサブフレーム境界のずれを把握し、ずれを考慮した測定ギャップの算出や、ずれの大小判断を行ってもよい。
【００８４】
以上、説明したように、対処方法例１、２により、ＭＣＧとＳＣＧとの間でサブフレーム境界にずれがある場合でも適切に測定ギャップを設定することができる。
【００８５】
（装置構成、動作フロー）
＜ユーザ装置ＵＥ＞
図１６に、これまでに説明した動作を実行するユーザ装置ＵＥの構成例を示す。なお、図１６は、ユーザ装置ＵＥにおいて本発明の実施の形態に特に関連する機能部のみを示すものであり、少なくともＬＴＥ方式に準拠した動作を行うための図示しない機能も有するものである。
【００８６】
図１６に示すように、本実施の形態のユーザ装置ＵＥは、ＤＬ信号受信部１０１、ＵＬ信号送信部１０２、ＤＣ／ＣＡ管理部１０３、測定制御部１０４、ずれ測定部１０５、ずれ情報通知部１０６を有する。
【００８７】
ＤＬ信号受信部１０１は、基地局（ＭｅＮＢ、ＳｅＮＢ）から無線信号を受信し、無線信号から情報を抽出する。ＵＬ信号送信部１０２は、送信情報から無線信号を生成し、基地局（ＭｅＮＢ、ＳｅＮＢ）に送信する。ＤＣ／ＣＡ管理部１０３は、ＤＣを構成する各セル（ＣＣ）の管理（設定されているＣＣの識別情報及び状態の保持等）、追加、削除、アクティベート、ディアクティベート等を行う。
【００８８】
測定制御部１０４は、基地局ＭｅＮＢ（ＳｅＮＢでもよい）から受信する測定設定情報（例：Ｅｖｅｎｔ  Ａ２の指示）に基づき、所定の周波数の品質測定、閾値との比較、測定報告トリガ検出等を行う。また、測定制御部１０４は、測定ギャップ（ＭＧ）の設定情報（ギャップパターン、ギャップオフセット等）に基づき測定ギャップ（測定ギャップとなるＳＦＮ／サブフレーム）を算出し、ＭＣＧについては当該測定ギャップの期間、送受信不可とする制御を行う。また、測定制御部１０４は、ＳＣＧに関しては、ずれ測定部１０５により測定されるずれ情報等に基づいて、上記の算出された測定ギャップを補正し、補正された測定ギャップについて送受信不可とする制御を行う。また、測定制御部１０４は、前述したサブフレーム境界のずれの対処等も行う。例えば、測定制御部１０４は、設定情報に基づいてＭＣＧに対する測定ギャップを設定するとともに、ＭＣＧに対する測定ギャップとなるＭＣＧ側のサブフレームと重なるＳＣＧ側のサブフレームをＳＣＧに対する測定ギャップとして設定する。例えば、測定制御部１０４は、設定情報に基づいてＭＣＧに対する測定ギャップを設定するとともに、ＳＣＧに対する測定ギャップとして、ＭＣＧに対する測定ギャップよりも１サブフレーム分だけ長い測定ギャップを設定する。
【００８９】
ずれ測定部１０５は、基地局ＭｅＮＢから受信する信号と基地局ＳｅＮＢから受信する信号とに基づいて、ＭＣＧとＳＣＧ間のタイミングのずれを測定し、例えば図１０、図１１で説明したようなずれ情報を算出（取得）する。ずれ情報通知部１０６は、図７〜図９等を参照して説明したように、所定のトリガに基づいてずれ情報を基地局（ＭｅＮＢ、ＳｅＮＢ）に通知する。
【００９０】
ユーザ装置ＵＥはこれまでに説明したユーザ装置ＵＥの全ての動作を実行可能であるが、いくつかの動作例について以下で説明する。
【００９１】
図１７に、ユーザ装置ＵＥにおけるずれ情報通知に関する動作例のフローチャートを示す。図１７において、ユーザ装置ＵＥのずれ測定部１０５は、ＭＣＧとＳＣＧ間のサブフレームのずれを例えば定期的に測定しており、トリガの発生に応じてずれ情報通知が可能であるとする。あるいは、トリガ発生により、測定を行って、ずれ情報を取得してもよい。
【００９２】
図１７のステップ６０１において、ずれ情報通知部１０６は、ずれ情報通知のトリガを検出したかどうかを判定する。トリガを検出（例：ＭＧ設定の信号受信）すると、ずれ情報通知部１０６は、ＵＬ信号送信部１０２を介してずれ情報を例えば基地局ＭｅＮＢに通知する（ステップ６０２）。
【００９３】
図１８に、サブフレーム境界にずれがある場合の対処方法例１に関する動作例のフローチャートを示す。
【００９４】
ステップ７０１において、ユーザ装置ＵＥの測定制御部１０４は、基地局ＭｅＮＢから測定ギャップ（ＭＧ）の設定情報を受信し、測定ギャップの設定を受ける。
【００９５】
測定制御部１０４は、ＤＣ／ＣＡ管理部１０３に問い合わせることで、ＤＣが設定されているかどうか、つまり、ＭＣＧとＳＣＧが設定されているかどうかを確認する（ステップ７０２）。
【００９６】
ＤＣが設定されている場合（ステップ７０２のＹｅｓ）、ステップ７０３に進み、測定制御部１０４は、ＭＣＧの測定ギャップ（測定ギャップが開始するＳＦＮ／サブフレーム番号）を算出し、更に、ずれ情報を用いてＳＣＧの測定ギャップ（測定ギャップが開始するＳＦＮ／サブフレーム番号）を算出し、更に、ＭＣＧとＳＣＧのそれぞれについて、算出された測定ギャップの前後所定期間(例：１ｍｓ)も測定ギャップと見なし、測定ギャップにおいて送受信不可とする制御を行う。
【００９７】
一方、ＤＣが設定されていない場合（ステップ７０２のＮｏ）、ステップ７０４に進み、測定制御部１０４は、サービングセルの測定ギャップ（測定ギャップが開始するＳＦＮ／サブフレーム番号）を算出し、算出された測定ギャップにおいて送受信不可とする制御を行う。
【００９８】
図１９に、サブフレーム境界にずれがある場合の対処方法例２に関する動作例のフローチャートを示す。
【００９９】
ステッ８０１において、ユーザ装置ＵＥの測定制御部１０４は、基地局ＭｅＮＢから測定ギャップ（ＭＧ）の設定情報を受信し、測定ギャップの設定を受ける。
【０１００】
測定制御部１０４は、ＤＣ／ＣＡ管理部１０３に問い合わせることで、ＤＣが設定されているかどうか、つまり、ＭＣＧとＳＣＧが設定されているかどうかを確認する（ステップ８０２）。
【０１０１】
ＤＣが設定されている場合（ステップ８０２のＹｅｓ）、ステップ８０３に進み、測定制御部１０４は、ＭＣＧの測定ギャップ（測定ギャップが開始するＳＦＮ／サブフレーム番号）を算出する。測定制御部１０４は、ＭＣＧの測定ギャップの絶対時間（例：図１５の時刻Ｔ）を取得し、当該絶対時間に基づいてＳＣＧに対する測定ギャップを算出する。測定制御部１０４は、ＭＣＧとＳＣＧのそれぞれで、測定ギャップにおいて送受信不可とする制御を行う。つまり、ＭＣＧとＳＣＧのそれぞれで測定ギャップを設定する。
【０１０２】
一方、ＤＣが設定されていない場合（ステップ８０２のＮｏ）、ステップ８０４に進み、測定制御部１０４は、サービングセルの測定ギャップ（測定ギャップが開始するＳＦＮ／サブフレーム番号）を算出し、算出された測定ギャップにおいて送受信不可とする制御を行う。
【０１０３】
なお、図１６に示す装置の構成（機能区分）は一例に過ぎない。本実施の形態で説明する処理を実現できるのであれば、その実装方法（具体的な機能部の配置等）は、特定の実装方法に限定されない。例えば、本実施の形態のユーザ装置は、下記のような機能手段からなる装置として構成することもできる。
【０１０４】
すなわち、本実施の形態におけるユーザ装置は、基地局間キャリアアグリゲーションによりユーザ装置と通信を行う第１の基地局及び第２の基地局を含む移動通信システムにおいて使用される前記ユーザ装置であって、前記第１の基地局におけるサブフレームと前記第２の基地局におけるサブフレームとの間の時間差を測定する測定手段と、所定の通知トリガを検出した場合に、前記測定手段により測定された前記時間差に関する時間差情報を前記第１の基地局又は前記第２の基地局に通知する通知手段とを備えるユーザ装置として構成される。この構成により、第１の基地局におけるサブフレームと第２の基地局におけるサブフレームとの間の時間差の情報を基地局側で把握することが可能となる。
【０１０５】
前記所定の通知トリガは、例えば、前記ユーザ装置が、前記基地局間キャリアアグリゲーションを行うための設定信号を前記第１の基地局又は前記第２の基地局から受信したことである。この構成により、ユーザ装置は、時間差が発生する可能性がある場合にのみ時間差情報を通知できる。
【０１０６】
前記所定の通知トリガは、前記ユーザ装置において、在圏セルの受信品質が所定閾値よりも劣化した場合に測定報告を送信するイベントがトリガされたことであってもよい。この構成により、ユーザ装置は、測定ギャップが設定される可能性がある場合に時間差情報を通知できる。
【０１０７】
前記所定の通知トリガは、前記第１の基地局又は前記第２の基地局から、測定ギャップの設定情報を受信したことであってもよい。この構成では、測定ギャップが設定される場合にのみ時間差情報を通知できる。
【０１０８】
また、本実施の形態におけるユーザ装置は、基地局間キャリアアグリゲーションによりユーザ装置と通信を行う第１の基地局及び第２の基地局を含む移動通信システムにおいて使用される前記ユーザ装置であって、前記第１の基地局又は前記第２の基地局から測定ギャップの設定情報を受信する受信手段と、前記設定情報に基づいて前記第１の基地局に対する測定ギャップを設定するとともに、前記第２の基地局に対する測定ギャップとして、前記第１の基地局に対する測定ギャップよりも１サブフレーム分だけ長い測定ギャップを設定する測定制御手段とを備えるユーザ装置として構成してもよい。この構成により、サブフレーム境界のずれに起因した不要なＤＬ受信／ＵＬ送信を回避でき、リソース利用効率の低下等を防止できる。
【０１０９】
また、本実施の形態におけるユーザ装置は、基地局間キャリアアグリゲーションによりユーザ装置と通信を行う第１の基地局及び第２の基地局を含む移動通信システムにおいて使用される前記ユーザ装置であって、前記第１の基地局又は前記第２の基地局から測定ギャップの設定情報を受信する受信手段と、前記設定情報に基づいて前記第１の基地局に対する測定ギャップを設定するとともに、前記第１の基地局に対する測定ギャップとなるサブフレームと重なるサブフレームを前記第２の基地局に対する測定ギャップとして設定する測定制御手段とを備えるユーザ装置として構成してもよい。この構成により、サブフレーム境界のずれに起因した不要なＤＬ受信／ＵＬ送信を回避でき、リソース利用効率の低下等を防止できる。
【０１１０】
前記測定制御手段は、前記設定情報に基づいて前記第１の基地局に対する測定ギャップを算出し、当該測定ギャップの絶対時間を取得し、当該絶対時間に基づいて、前記第２の基地局に対する測定ギャップを算出することとしてもよい。この構成により、サブフレーム境界のずれに起因した通信不可期間の増加を削減できる。
【０１１１】
＜基地局ｅＮＢ＞
図２０に、これまでに説明した動作を実行する基地局ｅＮＢの構成例を示す。基地局ＭｅＮＢとＳｅＮＢは基本的に同様の構成であるため、図２０は、ＭｅＮＢとＳｅＮＢのいずれにも適用できる構成を示している。なお、ユーザ装置ＵＥとのＲＲＣ接続を基地局ＭｅＮＢのみが行う場合には、ＲＲＣ信号で測定設定を行う機能を基地局ＭｅＮＢの測定制御部２０４のみが備えることとしてもよい。
【０１１２】
図２０は、基地局ｅＮＢにおいて本発明の実施の形態に特に関連する機能部のみを示すものであり、少なくともＬＴＥ方式に準拠した動作を行うための図示しない機能も有するものである。
【０１１３】
図２０に示すように、本実施の形態の基地局ｅＮＢは、ＤＬ信号送信部２０１、ＵＬ信号受信部２０２、ＤＣ／ＣＡ管理部２０３、測定制御部２０４、スケジューリング部２０５、ずれ情報取得部２０６、基地局間通信部２０７を有する。
【０１１４】
ＤＬ信号送信部２０１は、送信情報から無線信号を生成し、ユーザ装置ＵＥに送信する。ＵＬ信号受信部２０２は、ユーザ装置ＵＥから無線信号を受信し、無線信号から情報を抽出する。ＤＣ／ＣＡ管理部２０３は、ＤＣを構成する各セル（ＣＣ）の管理（設定されているＣＣの識別情報及び状態の保持等）、追加、削除、アクティベート、ディアクティベート等を行う。
【０１１５】
測定制御部２０４は、ユーザ装置ＵＥに対して測定設定情報（Ｅｖｅｎｔの指示、測定ギャップの設定等）を送信する。また、測定制御部２０４は、他の基地局（例：ＭｅＮＢに対するＳｅＮＢ、ＳｅＮＢに対するＭｅＮＢ等）との間で、基地局間通信部２０７を介して、測定設定情報の送受信（共有）を行う。また、測定制御部２０４は、ユーザ装置ＵＥに対する測定ギャップの設定に基づいて、測定ギャップ（測定ギャップが開始するＳＦＮ／サブフレーム番号）を算出し、当該測定ギャップの期間をスケジューリング部２０５に通知する。上記測定ギャップの算出は、ＳｅＮＢにおけるずれ情報による補正や、測定ギャップと見なす期間の加算等も含む。
【０１１６】
スケジューリング部２０５は、測定制御部２０４から通知された測定ギャップ（測定ギャップと見なす期間がある場合、それを含む）の期間について、ＵＬ／ＤＬスケジューリングを行わない制御を行う。
【０１１７】
ずれ情報取得部２０６は、ユーザ装置ＵＥ又は他の基地局（例：ＳｅＮＢに対するＭｅＮＢ）からずれ情報を取得し、当該ずれ情報を測定制御部２０４に渡す。基地局間通信部２０７は他の基地局との間で情報の送受信を行う。
【０１１８】
基地局ｅＮＢはこれまでに説明した基地局（ＭｅＮＢ、ＳｅＮＢ）の全ての動作を実行可能であるが、いくつかの動作例について以下で説明する。
【０１１９】
図２１に、サブフレーム境界にずれがある場合の対処方法例１に関する動作例のフローチャートを示す。
【０１２０】
ステップ９０１において、基地局ｅＮＢの測定制御部２０４は、測定ギャップ（ＭＧ）の設定情報をユーザ装置ＵＥに送信することで、ユーザ装置ＵＥに対して測定ギャップの設定を行う。
【０１２１】
測定制御部２０４は、ＤＣ／ＣＡ管理部２０３に問い合わせることで、ＤＣが設定されているかどうか、つまり、基地局ｅＮＢがＭｅＮＢ又はＳｅＮＢであるかどうか（自身と他基地局とでＭＣＧとＳＣＧが設定されているかどうか）を確認する（ステップ９０２）。
【０１２２】
ＤＣが設定されている場合（ステップ９０２のＹｅｓ）、ステップ９０３に進み、測定制御部２０４は、ＭＣＧ（自身がＭｅＮＢである場合）の測定ギャップ（測定ギャップが開始するＳＦＮ／サブフレーム番号）を算出する。自身がＳｅＮＢである場合、測定制御部２０４は、ＭＣＧの測定ギャップを算出するとともに、例えばＭｅＮＢから受信したずれ情報を用いてＳＣＧの測定ギャップ（測定ギャップが開始するＳＦＮ／サブフレーム番号）を算出する。更に、いずれの場合も算出された測定ギャップの前後所定期間(例：１ｍｓ)も測定ギャップと見なし、スケジューリング部２０５は、当該測定ギャップにおいてＵＬ／ＤＬスケジューリングを行わない制御を行う。
【０１２３】
一方、ＤＣが設定されていない場合（ステップ９０２のＮｏ）、ステップ９０４に進み、測定制御部２０４は、サービングセルの測定ギャップ（測定ギャップが開始するＳＦＮ／サブフレーム番号）を算出し、算出された測定ギャップにおいてＵＬ／ＤＬスケジューリングを行わない制御を行う。
【０１２４】
図２２に、サブフレーム境界にずれがある場合の対処方法例２に関する動作例のフローチャートを示す。図２２における動作は、基地局ｅＮＢがＳｅＮＢである場合の動作例である。
【０１２５】
ステップ１００１において、測定制御部２０４は、基地局ＭｅＮＢ（又はユーザ装置ＵＥ）から測定ギャップ（ＭＧ）の設定情報を受信する。測定制御部２０４は、当該設定情報に基づき、ＭＣＧの測定ギャップ（測定ギャップが開始するＳＦＮ／サブフレーム番号）を算出するとともに、ＭＣＧの測定ギャップの絶対時間（例：図１５の時刻Ｔ）を取得し、当該絶対時間に基づいてＳＣＧに対する測定ギャップ（測定ギャップと見なす期間）を算出し、スケジューリング部２０５は、当該期間においてスケジューリングを行わない制御を行う。
【０１２６】
なお、図２０に示す装置の構成（機能区分）は一例に過ぎない。本実施の形態で説明する処理を実現できるのであれば、その実装方法（具体的な機能部の配置等）は、特定の実装方法に限定されない。例えば、本実施の形態の基地局は、下記のような機能部からなる装置として構成することもできる。
【０１２７】
すなわち、本実施の形態における基地局は、基地局間キャリアアグリゲーションによりユーザ装置と通信を行う第１の基地局及び第２の基地局を含む移動通信システムにおいて前記第２の基地局として使用される基地局であって、前記ユーザ装置、又は、前記第１の基地局から、前記第１の基地局におけるサブフレームと前記第２の基地局におけるサブフレームとの間の時間差に関する時間差情報を受信する受信手段と、前記ユーザ装置、又は、前記第１の基地局から、測定ギャップの設定情報を受信し、当該設定情報と前記時間差情報に基づいて、前記ユーザ装置における前記基地局に対する測定ギャップを算出し、当該測定ギャップの前後所定期間も測定ギャップと見なす測定制御手段とを備える基地局として構成される。この構成により、第１の基地局におけるサブフレームと第２の基地局におけるサブフレームとの間の時間差の情報を基地局で把握できるとともに、サブフレーム境界のずれに起因した不要なスケジューリングを回避でき、リソース利用効率の低下等を防止できる。
【０１２８】
また、本実施の形態の基地局は、基地局間キャリアアグリゲーションによりユーザ装置と通信を行う第１の基地局及び第２の基地局を含む移動通信システムにおいて前記第２の基地局として使用される基地局であって、前記ユーザ装置、又は、前記第１の基地局から、前記第１の基地局におけるサブフレームと前記第２の基地局におけるサブフレームとの間の時間差に関する時間差情報を受信する受信手段と、前記ユーザ装置における前記第１の基地局に対する測定ギャップの絶対時間を、当該測定ギャップの設定情報と前記受信手段により受信した前記時間差情報とに基づき算出し、当該絶対時間に基づいて、前記ユーザ装置における前記基地局に対する測定ギャップを算出する測定制御手段とを備える基地局として構成してもよい。この構成により、第１の基地局におけるサブフレームと第２の基地局におけるサブフレームとの間の時間差の情報を基地局で把握できるとともに、サブフレーム境界のずれに起因した通信不可期間の増加を削減できる。
【０１２９】
以下、本明細書に開示される構成を例示的に列挙する。
（第１項）
基地局間キャリアアグリゲーションによりユーザ装置と通信を行う第１の基地局及び第２の基地局を含む移動通信システムにおいて使用される前記ユーザ装置であって、
前記第１の基地局におけるサブフレームと前記第２の基地局におけるサブフレームとの間の時間差を測定する測定手段と、
所定の通知トリガを検出した場合に、前記測定手段により測定された前記時間差に関する時間差情報を前記第１の基地局又は前記第２の基地局に通知する通知手段と
を備えることを特徴とするユーザ装置。
（第２項）
前記所定の通知トリガは、前記ユーザ装置が、前記基地局間キャリアアグリゲーションを行うための設定信号を前記第１の基地局又は前記第２の基地局から受信したことである
ことを特徴とする第１項に記載のユーザ装置。
（第３項）
前記所定の通知トリガは、前記ユーザ装置において、在圏セルの受信品質が所定閾値よりも劣化した場合に測定報告を送信するイベントがトリガされたことである
ことを特徴とする第１項に記載のユーザ装置。
（第４項）
前記所定の通知トリガは、前記第１の基地局又は前記第２の基地局から、測定ギャップの設定情報を受信したことである
ことを特徴とする第１項に記載のユーザ装置。
（第５項）
前記第１の基地局又は前記第２の基地局から測定ギャップの設定情報を受信し、当該設定情報に基づいて前記第１の基地局に対する測定ギャップを算出し、当該設定情報と前記時間差情報に基づいて前記第２の基地局に対する測定ギャップを算出し、算出された各測定ギャップについて、当該測定ギャップの前後所定期間も測定ギャップと見なす測定制御手段
を備えることを特徴とする第１項ないし第４項のうちいずれか１項に記載のユーザ装置。
（第６項）
前記第１の基地局又は前記第２の基地局から測定ギャップの設定情報を受信し、当該設定情報に基づいて前記第１の基地局に対する測定ギャップを算出し、当該測定ギャップの絶対時間を取得し、当該絶対時間に基づいて、前記第２の基地局に対する測定ギャップを算出する測定制御手段
を備えることを特徴とする第１項ないし第４項のうちいずれか１項に記載のユーザ装置。
（第７項）
前記時間差情報は、前記第１の基地局に対する測定ギャップから前記時間差を補正して得られる測定ギャップを前記第２の基地局において算出するために使用される設定情報である
ことを特徴とする第１項ないし第４項のうちいずれか１項に記載のユーザ装置。
（第８項）
基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置、又は、前記第１の基地局から、測定ギャップの設定情報を受信し、当該設定情報と前記時間差情報に基づいて、前記ユーザ装置における前記基地局に対する測定ギャップを算出し、当該測定ギャップの前後所定期間も測定ギャップと見なす測定制御手段と
を備えることを特徴とする基地局。
（第９項）
基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置における前記第１の基地局に対する測定ギャップの絶対時間を、当該測定ギャップの設定情報と前記受信手段により受信した前記時間差情報とに基づき算出し、当該絶対時間に基づいて、前記ユーザ装置における前記基地局に対する測定ギャップを算出する測定制御手段と
を備えることを特徴とする基地局。
（第１０項）
基地局間キャリアアグリゲーションによりユーザ装置と通信を行う第１の基地局及び第２の基地局を含む移動通信システムにおいて使用される前記ユーザ装置が実行する時間差情報通知方法であって、
前記第１の基地局におけるサブフレームと前記第２の基地局におけるサブフレームとの間の時間差を測定する測定ステップと、
所定の通知トリガを検出した場合に、前記測定ステップにより測定された前記時間差に関する時間差情報を前記第１の基地局又は前記第２の基地局に通知する通知ステップと
を備えることを特徴とする時間差情報通知方法。
【０１３０】
本実施の形態で説明するユーザ装置の機能構成は、ＣＰＵとメモリを備えるユーザ装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１３１】
本実施の形態で説明する基地局の機能構成は、ＣＰＵとメモリを備える基地局において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１３２】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような各装置はハードウェアで、ソフトウェアで又はそれらの組み合わせで実現されてもよい。本発明に従って動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１３３】
本国際特許出願は２０１４年６月１７日に出願した日本国特許出願第２０１４−１２４８３５号に基づきその優先権を主張するものであり、日本国特許出願第２０１４−１２４８３５号の全内容を本願に援用する。
【符号の説明】
【０１３４】
ＵＥ  ユーザ装置
ＭｅＮＢ、ＳｅＮＢ  基地局
１０１  ＤＬ信号受信部
１０２  ＵＬ信号送信部
１０３  ＤＣ／ＣＡ管理部
１０４  測定制御部
１０５  ずれ測定部
１０６  ずれ情報通知部
２０１  ＤＬ信号送信部
２０２  ＵＬ信号受信部
２０３  ＤＣ／ＣＡ管理部
２０４  測定制御部
２０５  スケジューリング部
２０６  ずれ情報取得部
２０７  基地局間通信部
【図１】
2015194570.tif 000003
【図２】
2015194570.tif 000004
【図３】
2015194570.tif 000005
【図４Ａ】
2015194570.tif 000006
【図４Ｂ】
2015194570.tif 000007
【図５】
2015194570.tif 000008
【図６】
2015194570.tif 000009
【図７】
2015194570.tif 000010
【図８】
2015194570.tif 000011
【図９】
2015194570.tif 000012
【図１０Ａ】
2015194570.tif 000013
【図１０Ｂ】
2015194570.tif 000014
【図１１】
2015194570.tif 000015
【図１２】
2015194570.tif 000016
【図１３】
2015194570.tif 000017
【図１４】
2015194570.tif 000018
【図１５】
2015194570.tif 000019
【図１６】
2015194570.tif 000020
【図１７】
2015194570.tif 000021
【図１８】
2015194570.tif 000022
【図１９】
2015194570.tif 000023
【図２０】
2015194570.tif 000024
【図２１】
2015194570.tif 000025
【図２２】
2015194570.tif 000026
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
基地局間キャリアアグリゲーションによりユーザ装置と通信を行う第１の基地局及び第２の基地局を含む移動通信システムにおいて使用される前記ユーザ装置であって、
前記第１の基地局におけるサブフレームと前記第２の基地局におけるサブフレームとの間の時間差を測定する測定手段と、
所定の通知トリガを検出した場合に、前記測定手段により測定された前記時間差に関する時間差情報を前記第１の基地局又は前記第２の基地局に通知する通知手段と
を備えることを特徴とするユーザ装置。
【請求項２】
前記所定の通知トリガは、前記ユーザ装置が、前記基地局間キャリアアグリゲーションを行うための設定信号を前記第１の基地局又は前記第２の基地局から受信したことである
ことを特徴とする請求項１に記載のユーザ装置。
【請求項３】
前記所定の通知トリガは、前記ユーザ装置において、在圏セルの受信品質が所定閾値よりも劣化した場合に測定報告を送信するイベントがトリガされたことである
ことを特徴とする請求項１に記載のユーザ装置。
【請求項４】
前記所定の通知トリガは、前記第１の基地局又は前記第２の基地局から、測定ギャップの設定情報を受信したことである
ことを特徴とする請求項１に記載のユーザ装置。
【請求項５】
基地局間キャリアアグリゲーションによりユーザ装置と通信を行う第１の基地局及び第２の基地局を含む移動通信システムにおいて使用される前記ユーザ装置であって、
前記第１の基地局又は前記第２の基地局から測定ギャップの設定情報を受信する受信手段と、
前記設定情報に基づいて前記第１の基地局に対する測定ギャップを設定するとともに、前記第１の基地局に対する測定ギャップとなるサブフレームと重なるサブフレームを前記第２の基地局に対する測定ギャップとして設定する測定制御手段と
を備えることを特徴とするユーザ装置。
【請求項６】
前記測定制御手段は、前記設定情報に基づいて前記第１の基地局に対する測定ギャップを算出し、当該測定ギャップの絶対時間を取得し、当該絶対時間に基づいて、前記第２の基地局に対する測定ギャップを算出する
ことを特徴とする請求項５に記載のユーザ装置。
【請求項７】
基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置、又は、前記第１の基地局から、測定ギャップの設定情報を受信し、当該設定情報と前記時間差情報に基づいて、前記ユーザ装置における前記第１の基地局に対する測定ギャップを算出し、当該測定ギャップの前後所定期間も測定ギャップと見なす測定制御手段と
を備えることを特徴とする基地局。
【請求項８】
基地局間キャリアアグリゲーションによりユーザ装置と通信を行う第１の基地局及び第２の基地局を含む移動通信システムにおいて前記第２の基地局として使用される基地局であって、
前記ユーザ装置、又は、前記第１の基地局から、前記第１の基地局におけるサブフレームと前記第２の基地局におけるサブフレームとの間の時間差に関する時間差情報を受信する受信手段と、
前記ユーザ装置における前記第１の基地局に対する測定ギャップの絶対時間を、当該測定ギャップの設定情報と前記受信手段により受信した前記時間差情報とに基づき算出し、当該絶対時間に基づいて、前記ユーザ装置における前記基地局に対する測定ギャップを算出する測定制御手段と
を備えることを特徴とする基地局。
【請求項９】
基地局間キャリアアグリゲーションによりユーザ装置と通信を行う第１の基地局及び第２の基地局を含む移動通信システムにおいて使用される前記ユーザ装置が実行する時間差情報通知方法であって、
前記第１の基地局におけるサブフレームと前記第２の基地局におけるサブフレームとの間の時間差を測定する測定ステップと、
所定の通知トリガを検出した場合に、前記測定ステップにより測定された前記時間差に関する時間差情報を前記第１の基地局又は前記第２の基地局に通知する通知ステップと
を備えることを特徴とする時間差情報通知方法。
【国際調査報告】
2015194570.tif 000027
2015194570.tif 000028
2015194570.tif 000029
2015194570.tif 000030